(57)【特許請求の範囲】
【請求項１】
被圧延材を圧延する一対のワークロールと、ワークロールを支持する少なくとも一対の上下バックアップロールと、圧延前の被圧延材に圧延液を吹きつける圧延液噴射装置と、を備えた圧延機の水切り装置であって、
前記上バックアップロールの幅全域に渡ってロール表面に当接し、軸芯を中心に自由に回転するワイパーロールと、
そのワイパーロールの上流側で被圧延材の上部を覆うように設けられ、少なくともワイパーロールと同等の幅またはそれ以上の幅を有する仕切板と、
その仕切板のワイパーロール側の端部に設けられ、前記ワイパーロールのロール表面に当接する屈撓板と、
を備え、前記ワイパーロールにより上バックアップロールのロール表面に付着・搬送される圧延液をせき止め、前記仕切板および屈撓板によりワイパーロールを乗り越えようとする圧延液や飛沫をせき止める、ことを特徴とする圧延機の水切り装置。
【請求項２】
前記仕切板は、前記ワイパーロールを支持するロールアームに連結されている、請求項１に記載の圧延機の水切り装置。
【発明の詳細な説明】
【０００１】
【発明の属する技術分野】
本発明は、圧延機の水切り装置に係り、とくにアルミニウム冷間圧延設備に使用される圧延機の水切り装置に関するものである。
【０００２】
【従来の技術】
従来のアルミニウムの冷間圧延は、通常、低粘度のニート型（ケロシン系）の圧延油を用いて行なわれていた。しかし、ニート型圧延油は、冷却性が劣り、かつ、引火性があり、加熱により発火のおそれがあるため、高速圧延に適用できないという欠点があった。このため、冷却性が高く、発火のおそれがないエマルジョン型圧延液を用いたアルミニウム冷間圧延が一部で提案されていた。かかるエマルジョン型圧延液は、大部分が水分であり、冷却性がニート型圧延油の４倍にも達し、引火点がないので発火の心配がなく、圧延の高速化が達成でき、かつ、ランニングコストが低廉であるなどの長所を有している。その反面、エマルジョン型圧延液の大部分は水分であるため、被圧延材に水分が付着するとその水分により被圧延材であるアルミニウムにホワイトステン（白錆）が発生し、次工程の圧延を不可能にする。これはホワイトステンが発生した部分と発生しない部分との間の摩擦係数が異なるため、局部的に大きな伸びが生じ、破断を生じる場合があるからである。
【０００３】
このような圧延に使用した圧延液を除去する方法について、特開平１─１３０８０８号公報には被圧延材の出側にワイパを設けて残存圧延液を除去するとともにノズルにより空気を吹き付けて、これを吸引する方法が開示されているが、これは被圧延材に付着した後の水分の除去であるため、ホワイトステンの発生防止には効果的であるとはいえない。
【０００４】
一方、上述した圧延液の水分が被圧延材に付着するのは、圧延機の上バックアップロールの回転表面からのものであることが知られている。ここで、図３は、アルミニウム冷間圧延設備に使用される圧延機を示す図である。この図に示す圧延機は、被圧延材を圧延する一対のワークロールと、そのワークロールを補完する一対の上下バックアップロールと、圧延前の被圧延材に圧延液を吹きつける圧延液噴射装置と、を備えたものである。また、圧延液噴射装置は、圧延液を噴射するノズル，噴射された圧延液を回収する樋，圧延液を貯留するタンク，圧延液を汲み上げるポンプなどから構成されている。このノズルから圧延前の被圧延材に吹きつけられる圧延液は、非常に大量であるため、図の散点状部分は水浸しの状態になっている。したがって、被圧延材に吹きつけられた圧延液は、上バックアップロールのロール表面を伝って上バックアップロールの回転とともに圧延機の出側に運ばれてしまう。この圧延液の搬送を防止するために、従来の水切り装置では、図４に示すように、上バックアップロールの表面にワイパーロールを当接させ、破線で示すようにロール表面を伝っていく圧延液をせき止めるようにしていた。
【０００５】
【発明が解決しようとする課題】
しかし、上述したような圧延では、非常に大量の圧延液を使用しているため、ワイパーロールによりせき止められた圧延液がワイパーロールを乗り越えてしまったり、せき止められたことにより圧延液がワイパーロールを飛び越えて圧延機の出側に飛散したりしていた。とくに、この圧延液の乗り越えや飛沫は、高速圧延する場合に顕著となる。そのため、被圧延材に水分が付着し、ホワイトステン（白錆）の発生を効果的に防止することができなかった。
【０００６】
本発明は、かかる問題点を解決しようとするものである。すなわち、本発明は、上バックアップロールに付着し圧延機の出側に搬送される水分をせき止めることができ、圧延後の被圧延材への水分の落下を防止することができ、ホワイトステンの発生を抑制することができる圧延機の水切り装置を提供することを目的とする。
【０００７】
【課題を解決するための手段】
本発明によれば、被圧延材を圧延する一対のワークロールと、ワークロールを支持する少なくとも一対の上下バックアップロールと、圧延前の被圧延材に圧延液を吹きつける圧延液噴射装置と、を備えた圧延機の水切り装置であって、前記上バックアップロールの幅全域に渡ってロール表面に当接し、軸芯を中心に自由に回転するワイパーロールと、そのワイパーロールの上流側で被圧延材の上部を覆うように設けられ、少なくともワイパーロールと同等の幅またはそれ以上の幅を有する仕切板と、その仕切板のワイパーロール側の端部に設けられ、前記ワイパーロールのロール表面に当接する屈撓板と、を備え、前記ワイパーロールにより上バックアップロールのロール表面に付着・搬送される圧延液をせき止め、前記仕切板および屈撓板によりワイパーロールを乗り越えようとする圧延液や飛沫をせき止める、ことを特徴とする圧延機の水切り装置が提供される。
【０００８】
上述した本発明の圧延機の水切り装置は、前記ワイパーロールにより上バックアップロールのロール表面に付着・搬送される圧延液をせき止め、前記仕切板および屈撓板によりワイパーロールを乗り越えようとする圧延液や飛沫をせき止めるようにしたものである。かかる構成により、上バックアップロールに付着し圧延機の出側に搬送される水分をせき止めることができ、圧延後の被圧延材への水分の落下を防止することができ、ホワイトステンの発生を抑制することができる。また、前記ワイパーロールと前記仕切板との隙間をゴム板などの可撓性を有する屈撓板により塞いだことにより、前記ワイパーロールの回転を妨げることなく、常に当接し、この隙間を常に封鎖しておくことができる。
【０００９】
また、本発明の実施の形態によれば、前記仕切板は、前記ワイパーロールを支持するロールアームに連結されていることが好ましい。
【００１０】
上述した本発明の実施の形態の構成によれば、前記仕切板は、常に前記ワイパーロールと移動を共にし、前記上バックアップロールに前記ワイパーロールが当接するときには、必ず仕切板としての役割を果たすことができる。
【００１１】
【発明の実施の形態】
以下、本発明の好ましい実施の形態を図１および図２を参照して説明する。
図１は本発明による圧延機の水切り装置を示す側面図であり、図２は図１におけるＡ−Ａ断面図である。ただし、上バックアップロールの軸箱や圧延機のハウジングについては図を省略している。
【００１２】
これらの図に示す本発明の圧延機の水切り装置は、上バックアップロール４の幅全域に渡ってロール表面に当接し、軸芯を中心に自由に回転するワイパーロール１と、ワイパーロール１の上流側で被圧延材の上部を覆うように設けられ、少なくともワイパーロール１と同等の幅を有する略平板状の仕切板２と、仕切板２の下流側（ワイパーロール１側）の端部に設けられ、ワイパーロール１のロール表面に当接する屈撓板３と、を備えたものであり、ワイパーロール１により上バックアップロール４のロール表面に付着・搬送される圧延液をせき止め、仕切板２および屈撓板３によりワイパーロール１を乗り越えようとする圧延液や飛沫をせき止めようとするものである。
【００１３】
前記ワイパーロール１は、基本的に図４に示すものと同一であり、上バックアップロール４に当接するロール１ｗ，ロール１ｗを支持するロールアーム１ａ，ロールアーム１ａに回動可能に接続された移動用シリンダ１ｓなどから構成されており、ロールアーム１ａおよび移動用シリンダ１ｓは、図示しない圧延機のハウジングに回動可能に接続されている。図２において、ロール１ｗは、少なくとも上バックアップロール４と同等の幅（軸方向の長さ）を有し、ロールアーム１ａにより両端部で支持され、上バックアップロール４の回転に合わせて自由に回転できるようになっている。また、メンテナンスなどのため、ロール１ｗは、移動用シリンダ１ｓの作用により上バックアップロール４から離反できるようになっている。
【００１４】
前記仕切板２は、矩形の平板状部材２ａとその補強材２ｂとから構成されており、平板状部材２ａ（および補強材２ｂ）は連結部材５によりロールアーム１ａと連結されている。連結部材５は、剛性を備え、ロール１ｗと平板状部材２ａとの位置関係を一定に維持するものである。したがって、仕切板２は、常にワイパーロール１と移動を共にし、上バックアップロール４にワイパーロール１が当接するときには、必ず仕切板２としての役割を果たすことができる。なお、仕切板２として、平板状部材２ａの代わりに湾曲した板部材を使用してもよいし、ワイパーロール１よりも幅広のものを使用してもよい。
【００１５】
前記屈撓板３は、可撓性を有するゴム板やカーボン製板などである。この屈撓板３は、ワイパーロール１のロール１ｗと仕切板２の平板状部材２ａとの隙間を封鎖するためのものである。この部分に可撓性を有する屈撓板３を使用することにより、ロール１ｗの回転を妨げることなく、常にロール１ｗのロール表面に当接させておくことができる。この屈撓板３は、図１および図２に示すように、平板状部材２ａの下流側端部の背面にボルトなどにより固定されている。図２では、平板状部材２ａと同じ板幅（ロール１ｗの軸方向の長さ）であるが、少なくともロール１ｗの幅（軸方向の長さ）と同等であることが必要である。
【００１６】
上述した本発明の圧延機の水切り装置は、図３に示した圧延機と同様なアルミニウム冷間圧延設備に使用される圧延機に採用されるものである。すなわち、本発明の水切り装置は、被圧延材を圧延する一対のワークロールと、そのワークロールを支持する少なくとも一対の上下バックアップロールと、圧延前の被圧延材に圧延液を吹きつける圧延液噴射装置と、を備えた圧延機において、ワイパーロール１により上バックアップロール４のロール表面に付着・搬送される圧延液をせき止め、仕切板２および屈撓板３によりワイパーロール１を乗り越えようとする圧延液や飛沫をせき止めるものである。したがって、上バックアップロール４を伝って圧延機の出側に運ばれる水分をせき止めることができ、圧延後の被圧延材への水分の落下を防止することができ、ホワイトステンの発生を抑制することができる。
【００１７】
なお、本発明は上述した実施形態に限定されず、本発明の要旨を逸脱しない範囲で種々変更できることは勿論である。
【００１８】
【発明の効果】
上述したように、本発明の圧延機の水切り装置によれば、ワイパーロールにより上バックアップロールのロール表面に付着・搬送される圧延液をせき止めることができ、仕切板および屈撓板によりワイパーロールを乗り越えようとする圧延液や飛沫をせき止めることができ、上バックアップロールに付着し圧延機の出側に搬送される水分をせき止めることができ、圧延後の被圧延材への水分の落下を防止することができ、ホワイトステンの発生を抑制することができる、などの優れた効果を有する。
【図面の簡単な説明】
【図１】本発明による圧延機の水切り装置を示す側面図である。
【図２】図１におけるＡ−Ａ断面図である。ただし、中間部については図を省略している。
【図３】アルミニウム冷間圧延設備に使用される圧延機を示す図である。
【図４】従来の圧延機の水切り装置を示す図である。
【符号の説明】
１  ワイパーロール
１ｗ  ロール
１ａ  ロールアーム
１ｓ  移動用シリンダ
２  仕切板
２ａ  平板状部材
２ｂ  補強材
３  屈撓板
４  上バックアップロール
５  連結部材
【図１】
0003644469.tif 000002
【図２】
0003644469.tif 000003
【図３】
0003644469.tif 000004
【図４】
0003644469.tif 000005